(57)【要約】      （修正有）【課題】被介護者のニーズに応じた外観装飾を施し、またカルテなどの被介護者情報や家族の写真などを見えるように保持できる介護用電動リフトを提供する。【解決手段】屋内に架設されたレールに支持された介護用電動リフト１１の筺体１２は、上下の筺体１３，１４を接合して構成されている。下側の筺体１３の底板１３ａの外面は、透明カバー１６に被覆されている。底板の外面と透明カバーの内面との間には微小の隙間が設けられ、この隙間に壁紙、カルテ、被介護者の家族の写真などの所望の部材Ｐが挿入可能となっている。【選択図】図１
0003195174.tif 000002
【実用新案登録請求の範囲】
【請求項１】
屋内に架設されたレールに走行自在に支持され、被介護者を乗せる吊り具がベルトを介して吊り下げられる介護用電動リフトであって、
前記ベルトの巻上機を収納する筺体と、該筺体の任意外面を被覆する透明カバーと、を備え、
前記任意外面と前記透明カバーとの間に所望の部材が挿入可能なことを特徴とする介護用電動リフト。
【請求項２】
前記任意外面と前記透明カバーとの間に隙間を有することを特徴とする請求項１記載の介護用電動リフト。
【請求項３】
前記任意外面が、前記筺体の底部外面であることを特徴とする請求項１または２のいずれか１項に記載の介護用電動リフト。
【請求項４】
前記任意外面が、前記筺体の底部外面および側面であることを特徴とする請求項１または２のいずれか１項に記載の介護用電動リフト。
【考案の詳細な説明】
【技術分野】
【０００１】
本考案は、被介護者の介護や自立支援器具として使用される介護用電動リフトに関する。
【背景技術】
【０００２】
介護用電動リフトは、主に被介護者をベッドから車椅子などの他の場所に移動させるときや、被介護者の腰上げ・体位変換補助・着替え時などに使用されている。この介護用電動リフトとしては、例えば特許文献１が公知となっている。
【０００３】
図５に基づき概略を説明すれば、介護用電動リフト１は室内の高所に架設されたレール２に走行自在に支持されている。この介護用電動リフト１の筺体３には図示省略の巻上機が内蔵され、該巻上機のドラムに巻回されるベルト４の下端部には被介護者を乗せる吊り具５が連結されている。
【０００４】
したがって、操作部６の操作により前記巻上機でベルト４を巻き取った場合には吊り具５が上昇する一方、操作部６の操作により前記巻上機でベルト４を繰り出した場合には吊り具５が降下し、これにより被介護者を自動的に昇降移動させることができる。
【先行技術文献】
【特許文献】
【０００５】
【特許文献１】特開平１０−８０４５０
【考案の概要】
【考案が解決しようとする課題】
【０００６】
しかしながら、介護用電動リフト１は医療機器なため、被介護者などに無機質な印象を与えやすい問題があった。また、介護用電動リフト１の筺体３にカルテなどを外部から見えるように保持できれば、被介護者情報の情報伝達に役立ち、介護者間での情報共有が容易となるとの要望があった。さらに家族の写真を外部から見えるように保持できれば、被介護者に心理的な安心感が与えられるとの要望もあった。
【０００７】
本考案は、このような問題や要望を解決するためになされ、介護用電動リフトの筺体に被介護者のニーズに応じた外観装飾を施すとともに、カルテなどの被介護者情報や家族の写真などを見えるように保持することを解決課題としている。
【課題を解決するための手段】
【０００８】
本考案は、屋内に架設されたレールに走行自在に支持され、被介護者を乗せる吊り具がベルトを介して吊り下げられる介護用電動リフトであって、前記ベルトの巻上機を収納する筺体と、該筺体の任意外面を被覆する透明カバーと、を備え、前記任意外面と前記透明カバーとの間に所望の部材が挿入可能なことを特徴としている。
【０００９】
本考案の一態様としては、前記任意外面と前記透明カバーとの間に隙間を有する構成が例示できる。また、前記任意外面は前記筺体の底部外面でもよく、あるいは前記筺体の底部外面および側面でもよい。
【考案の効果】
【００１０】
本考案によれば、介護用電動リフトの筺体と透明部材との間に所望の部材を挿入することができる。したがって、例えば壁紙などを挿入すれば、壁紙が透けて見えるため、筺体に外観装飾を施すことができる。
【００１１】
また、カルテなどの被介護者情報や家族の写真などを挿入すれば、それらが透けて見えるため、被介護者情報の情報伝達や被介護者の心理的な安心感に役立つ。
【図面の簡単な説明】
【００１２】
【図１】本考案の第１実施形態に係る介護用電動リフトの斜視図。
【図２】同  透明カバーの取付構造を示す断面図。
【図３】本考案の第２実施形態に係る介護用電動リフトの斜視図。
【図４】（ａ）は透明カバーの取付前の断面図、（ｂ）は透明カバーの取り付け後の断面図。
【図５】特許文献１の介護用電動リフトの斜視図。
【考案を実施するための形態】
【００１３】
以下、本考案の実施形態に係る介護用電動リフトを説明する。ここでは特許文献１の介護用電動リフト１と同じ構成を同一の符号を用いて説明する。
【００１４】
≪第１実施形態≫
図１および図２に基づき第１実施形態の介護用電動リフト１１を説明する。この介護用電動リフト１１は、前記介護用電動リフト１と同様に室内の高所に架設されたレール２に走行自在に支持され、図示省略の巻上機が筺体１２に内蔵され、該巻上機のドラムにはベルト４が巻回され、ベルト４の下端部に被介護者を乗せる吊り具５が連結されている。
【００１５】
筺体１２は、図１に示すように、上下の筺体１３，１４を接合して構成され、下側の筺体１３は縦断面逆台形状に形成されている。具体的には筺体１３は、長方形状の底板１３ａと、底板１３ａの短辺側の各端部に開脚状に立設された前後一対の側板１３ｂと、底板１３ａの長辺側の各端部に略垂直に立設された左右一対の側板１３ｃと、底板１３ａの中央部に形成されたベルト４の出入口１５とを有している。この底板１３ａの外面（筺体１３の底部外面）は、透明カバー１６により被覆されている。
【００１６】
この透明カバー１６は、アクリル樹脂やポリカーボネートなどの有機ガラス（透明なプラスチック）製が好ましいが、透明であれば特に材質は問わない。具体的には透明カバー１６は、底板１３ａと相似の板状に形成され、中央部には出入口１５に連通する貫通孔１６ａが形成され、短辺側の各端部には半円状の切欠部１６ｂが形成されている。
【００１７】
図２に基づき透明カバー１６の取付構造を説明すれば、底板１３ａの四隅には雌ねじ孔１７が形成されている一方、透明カバー１６の四隅には雌ねじ孔１７に連通する連通孔１８が形成されている。この各連通孔１８にボルト１９の軸部１９ａを通して雌ねじ孔１７に締結することにより、透明カバー１６が底板１３ａに取り付けられている。
【００１８】
このとき雌ねじ孔１７の深さがボルト１９の軸部１９ａより浅いため、底板１３ａの外面と透明カバー１６の内面との間に微小の隙間Ｓ１が生じている。この隙間Ｓ１には所望の部材Ｐが挿入でき、挿入された部材Ｐは両者１３ａ，１６間に保持される。
【００１９】
そして、例えば被介護者の趣向に沿った壁紙や風景写真などを隙間Ｓ１に挿入すれば、透明カバー１６を通じて壁紙の絵柄や写真の風景が透けて見えるため、筺体１２の下面に被介護者のニーズに合わせた外観装飾を施すことができる。
【００２０】
ここで挿入された壁紙などは簡単に交換できるため、筺体１３を交換することなく、季節や被介護者の気分に応じた外観装飾に変更することができる。また、挿入された壁紙などで介護用電動リフト１１の識別が可能となり、この点で被介護者の特定にも役立つ。
【００２１】
また、介護施設でのカルテなどの診療情報を隙間Ｓ１に挿入すれば、カルテの記入事項などが透けて見えるため、介護施設において被介護者の情報を一目で把握でき、この点で被介護者情報の情報伝達に役立ち、介護者間の情報共有が容易となる。
【００２２】
さらに被介護者の家族の写真を隙間Ｓ１に挿入すれば、家族の写真が被介護者に透けて見えるため、被介護者に心理的な安心感を与えることができる。なお、透明カバー１６は、底板１３ａの外面の略全域を被覆しているため、隙間Ｓ１には壁紙やカルテ、家族の写真など多種多様な部材を多数挿入でき、それらを保持しておくことができる。
【００２３】
≪第２実施形態≫
図３および図４に基づき第２実施形態の介護用電動リフト２１を説明する。この介護用電動リフト２１の筺体１２は、上下の筺体１４，２２を接合して構成されている。
【００２４】
下側の筺体２２は、横断面Ｕ字状に形成され、長方形状の底板２２ａと、底板２２ａの短辺側の各端部に略垂直に立設された前後一対の側板２２ｂと、底板１３ａの長辺側の各端部に弧状に立設された左右一対の側板２２ｃとを有している。この底板２２ａの中央部には雌ねじ孔２２ｄが形成され、該雌ねじ孔２２ｄはベルト４の出入口となっている。
【００２５】
また、底板２２ａの外面（筺体２２の底部外面）と両側板２２ｃの外面（筺体２２の両側面）とは、透明カバー２３に被覆されている。この透明カバー２３は、第１実施形態の透明カバー１６と同様にアクリル樹脂やポリカーボネートなどの有機ガラス（透明なプラスチック）製が好ましく、透明であれば特に材質は問わない。
【００２６】
具体的には透明カバー２３は、底板２２ａおよび両側板２２ｃの相似形（横断面Ｕ字状）に形成され、底板２２ａの外面を被覆する底部２３ａと、両側板２２ｃの外面を被覆する左右の側部２３ｂとを有し、取付部材２４により底板２２ａに取り付けられている。なお、底部２３ａの中央部には、雌ねじ孔２２ｄに連通する連通孔２３ｃが形成されている。
【００２７】
取付部材２４は、図４（ａ）に示すように、軸方向に段差縮径状に貫通形成されて前記各孔２２ｄ，２３ｃと連通する貫通孔２４ａと、雌ねじ孔２２ｄに締結される雄ねじ部２４ｂと、雄ねじ部２４ｂの一端部側の頭部２４ｃと、両者２４ｂ，２４ｃ間に一体形成された座金部２４ｄと、頭部２４ｃに形成された一対の摘み２４ｅと、を有している。
【００２８】
したがって、連通孔２３ｃに雄ねじ部２４ｂを通した後に摘み２４ｅを持ちながら頭部２４ｃを一方向に回転させれば、雄ねじ部２４ｂが雌ねじ孔２２ｄに螺入して締結される。これにより図４（ｂ）に示すように、連通孔２３ｃの内周縁２３ｄが頭部２４ｃと底板２２ａとの間に挟まれ、透明カバー２３が底板２２ａに取り付けられる。
【００２９】
このとき座金部２４ｄの高さが前記内周縁２３ｄの厚さより高いため、介護用電動リフト１１と同様に底板２２ａの外面と底部２３ａの内面との間に微小の隙間Ｓ２が生じる。
【００３０】
そして、介護用電動リフト２１によれば、隙間Ｓ２が側板２２ｃの外面と側部２３ｂの内面との間にも生じるため、ここに壁紙やカルテ，家族の写真などの部材Ｐを挿入可能な効果が得られる。これにより筺体１２の底面のみならず、両サイドにも外観装飾を施すことができ、また部材Ｐの保持範囲が拡張される。
【００３１】
なお、本考案は上記各実施形態に限定されるものではなく、各請求項に記載された範囲内で変形して実施することができる。例えば透明カバー２３の取付方法は、取付部材２４の使用には限定されず、各側板２２ｃの外面に係合溝を形成する一方、各側部２３ｂの上端部に係合フックを形成してもよい。
【００３２】
この場合には係合フックを係合溝に係合させれば、透明カバー２３を筺体２２に取り付けることができる。また、透明カバー２３に側板２２ｂを被覆する部分を設ければ、該部分の内面と側板２２ｂの外面（筺体２２の側面）との間にも隙間Ｓ２が生じるため、ここにも壁紙などの部材Ｐを挿入することが可能となる。
【符号の説明】
【００３３】
１１，２１…電動介護用リフト
１３，２２…下側の筺体
１６，２３…透明カバー
１３ａ…底板（底部）
Ｐ…部材
Ｓ…隙間
【図１】
0003195174.tif 000003
【図２】
0003195174.tif 000004
【図３】
0003195174.tif 000005
【図４】
0003195174.tif 000006
【図５】
0003195174.tif 000007